(57)【要約】      （修正有）【課題】従来のショーケースより美観性が改良されるショーケースを提供する。【解決手段】上面が載置面として展示品を支持することができるベースブロック２１と、ベースブロック２１に取り付けられ、載置面２１３により支持される展示品の側面側を囲み、且つ少なくとも１部が透明部として光が通過できるようになっている周壁２３と、周壁２３の上端に取り付けられ、載置面２１３により支持される展示品の上面側を覆う天板ブロック２２とを具えている。天板ブロック２２は、上底板２２０と、上底板２２０の周縁からベースブロック２１側へ突起している上フェンス２２１とを有し、上底板２２０と上フェンス２２１で照明手段収容空間２２２を画成しており、照明手段収容空間２２２内に照明手段が収容されている。【選択図】図４
0003188196.tif 000002
【実用新案登録請求の範囲】
【請求項１】
上面が載置面として展示品を支持することができるベースブロックと、
前記ベースブロックに取り付けられ、前記載置面により支持される展示品の側面側を囲み、且つ少なくとも１部が透明部として光が通過できるようになっている周壁と、
前記周壁の上端に取り付けられ、前記載置面により支持される展示品の上面側を覆う天板ブロックとを具えているショーケースにおいて、
前記天板ブロックは、上底板と、前記上底板の周縁から前記ベースブロック側へ突起している上フェンスとを有し、前記上底板と前記上フェンスで照明手段収容空間を画成しており、
前記照明手段収容空間内に、
前記ベースブロックの前記載置面に向かって発光する照明部と、前記照明部が発する光を収束させるように反射する集光部とを有する照明ユニットを少なくとも１つ備えている照明手段が収容されていることを特徴とするショーケース。
【請求項２】
前記ベースブロックは、
下底板と、前記下底板の周縁から前記天板ブロック側へ突起している下フェンスとを有し、前記下底板と前記下フェンスで制御手段収容空間を画成している上、
電源手段と、
前記制御手段収容空間内に収容されている制御基板と、
前記制御基板と電気的に接続している下部端子と、
前記制御基板と電気的に接続しているスイッチと、が取付けられており、
前記天板ブロックに、前記照明手段の前記照明ユニットと電気的に接続している上部端子が取り付けられており、
前記ベースブロックと前記天板ブロックとの間に介在するように延伸し、且つ両端がそれぞれ前記下部端子と前記上部端子とに電気的に接続して前記制御基板と前記照明ユニットとを電気的に接続している接続柱を更に具えていることを特徴とする請求項１に記載のショーケース。
【請求項３】
前記制御基板及び前記スイッチは、
前記制御基板が前記スイッチの操作状態に応じて前記照明ユニットの前記照明部が発する光の輝度及び色温度を制御することができるように配置構成されていることを特徴とする請求項２に記載のショーケース。
【請求項４】
前記下部端子は、前記ベースブロック側から前記接続柱に向かって伸縮可能に突起する第１の導電ピンであり、
前記上部端子は、前記天板ブロック側から前記接続柱に向かって伸縮可能に突起する第２の導電ピンであることを特徴とする請求項２または請求項３に記載のショーケース。
【請求項５】
前記天板ブロックは、
前記照明手段収容空間を下側から覆いながら、前記照明ユニットの前記照明部と前記集光部とのみを下方に露出させる上カバーを更に具え、
前記上カバーの前記載置面に面する下面に上接続溝が凹設されており、
前記載置面に下接続溝が凹設されており、
前記周壁は、上下両端がそれぞれ前記上接続溝と前記下接続溝に嵌め込まれて前記ベースブロックと前記天板ブロックとの間に取付けられていることを特徴とする請求項１〜請求項４のいずれか１項に記載のショーケース。
【考案の詳細な説明】
【技術分野】
【０００１】
本考案はショーケースに関し、特に、従来より美観性が改良されるショーケースに関する。
【背景技術】
【０００２】
従来のショーケースは、例えば図１に示されるように、支持台１１の上に展示品１３を載せた上、アクリル製のカバー１２を支持台１１に取り付けて展示品１３を観客に触らせないように保護する。
【０００３】
また、展示品の美観性を向上させるべく、図２に示されるショーケースも提示されている。図２に示されているショーケースは、展示品１５よりも高い背面板１６有する上、背面板１６の上端に照明手段１４を取付け、展示品１５に光を当てることによって展示品１５の視認性及び美観性を向上させることができる。
【考案の概要】
【考案が解決しようとする課題】
【０００４】
しかし、上記図１に示されるショーケースにおいて照明手段を欠くという問題点は図２に示されるショーケースで解決されているが、図２に示されるショーケースでは、照明手段１４の存在は展示品１５と比べて唐突であり、一体感を欠くという新たな問題点が生じることになる。
【０００５】
本考案は上記問題点に鑑みて、図１、図２に示される従来のショーケースより美観性が改良されるショーケースの提供を目的とする。
【課題を解決するための手段】
【０００６】
上記目的を達成すべく、本考案は、上面が載置面として展示品を支持することができるベースブロックと、前記ベースブロックに取り付けられ、前記載置面により支持される展示品の側面側を囲み、且つ少なくとも１部が透明部として光が通過できるようになっている周壁と、前記周壁の上端に取り付けられ、前記載置面により支持される展示品の上面側を覆う天板ブロックとを具えているショーケースにおいて、前記天板ブロックは、上底板と、前記上底板の周縁から前記ベースブロック側へ突起している上フェンスとを有し、前記上底板と前記上フェンスで照明手段収容空間を画成しており、前記照明手段収容空間内に、前記ベースブロックの前記載置面に向かって発光する照明部と、前記照明部が発する光を収束させるように反射する集光部とを有する照明ユニットを少なくとも１つ備えている照明手段が収容されていることを特徴とするショーケースを提供する。
【０００７】
上記ショーケースにおいて、前記ベースブロックは、下底板と、前記下底板の周縁から前記天板ブロック側へ突起している下フェンスとを有し、前記下底板と前記下フェンスで制御手段収容空間を画成している上、電源手段と、前記制御手段収容空間内に収容されている制御基板と、前記制御基板と電気的に接続している下部端子と、前記制御基板と電気的に接続しているスイッチと、が取付けられており、前記天板ブロックに、前記照明手段の前記照明ユニットと電気的に接続している上部端子が取り付けられており、前記ベースブロックと前記天板ブロックとの間に介在するように延伸し、且つ両端がそれぞれ前記下部端子と前記上部端子とに電気的に接続して前記制御基板と前記照明ユニットとを電気的に接続している接続柱を更に具えていることが好ましい。
【０００８】
上記ショーケースにおいて、前記制御基板及び前記スイッチは、前記制御基板が前記スイッチの操作状態に応じて前記照明ユニットの前記照明部が発する光の輝度及び色温度を制御することができるように配置構成されていることが好ましい。
【０００９】
上記ショーケースにおいて、前記下部端子は、前記ベースブロック側から前記接続柱に向かって伸縮可能に突起する第１の導電ピンであり、前記上部端子は、前記天板ブロック側から前記接続柱に向かって伸縮可能に突起する第２の導電ピンであることが好ましい。
【００１０】
上記ショーケースにおいて、前記天板ブロックは、前記照明手段収容空間を下側から覆いながら、各前記照明ユニットの前記照明部と前記集光部とのみを下方に露出させる上カバーを更に具え、前記上カバーの前記載置面に面する下面に上接続溝が凹設されており、前記載置面に下接続溝が凹設されており、前記周壁は、上下両端がそれぞれ前記上接続溝と前記下接続溝に嵌め込まれて前記ベースブロックと前記天板ブロックとの間に取付けられていることが好ましい。
【考案の効果】
【００１１】
上記構成によれば、本考案は載置面に向かって発光する照明部及び照明部が発する光を収束させるように反射する集光部を有する照明ユニットを備えている照明手段が照明手段収容空間内に収容されているので、ショーケース全体の一体感が保たれる美観性が改良されたショーケースを提供することができる。
【図面の簡単な説明】
【００１２】
【図１】従来のショーケースの一例が示される側面図である。
【図２】従来のショーケースの他の一例が示される斜視図である。
【図３】本考案のショーケースの好ましい実施形態の構成が示される斜視図である。
【図４】同実施形態の構成が示される分解断面図である。
【図５】同実施形態の構成が示される側面図である。
【考案を実施するための形態】
【００１３】
以下では各図面を参照しながら、本考案の好ましい実施形態について詳しく説明する。図３は本考案のショーケース２の好ましい実施形態の構成が示される斜視図であり、図４は同実施形態の構成が示される分解断面図であり、図５は同実施形態の構成が示される側面図である。
【００１４】
図３〜図５に示されるように、本考案のショーケース２の好ましい実施形態は、上面が載置面２１３として展示品４を支持することができるベースブロック２１と、ベースブロック２１に取り付けられ、載置面２１３により支持される展示品４の側面側を囲み、且つ透明材料により形成されて透明になって光が通過できる周壁２３と、周壁２３の上端に取り付けられ、載置面２１３により支持される展示品４の上面側を覆う天板ブロック２２とを具えている。
【００１５】
天板ブロック２２は、上底板２２０と、上底板２２０の周縁からベースブロック２１側（下側）へ突起している上フェンス２２１とを有し、上底板２２０と上フェンス２２１で照明手段収容空間２２２を画成しており、照明手段収容空間２２２内に、４つの照明ユニット３１と、該４つの照明ユニット３１が取付けられている回路基板３１０とを備えている照明手段３が収容されている。
【００１６】
各照明ユニット３１は、それぞれベースブロック２１の載置面２１３に向かって発光する照明部３１１と、照明部３１１が発する光を収束させるように反射する集光部３１２とを有している。なお、上述のように本実施形態においては照明ユニット３１を４つ設けたが、数量はこれに限らず、少なくとも１つ設けられればよい。
【００１７】
ベースブロック２１は、下底板２１０と、下底板２１０の周縁から天板ブロック２２側（上側）へ突起している下フェンス２１１と、下フェンス２１１の上端に取付けられ、前記載置面２１３を上面として有する下カバー２１２とを有し、下底板２１０と下フェンス２１１と下カバー２１２との間に制御手段収容空間２１５を画成している上、電源手段４１と、制御手段収容空間２１５内に収容されている制御基板４２と、制御基板４２と電気的に接続している下部端子５１と、制御基板４２と電気的に接続しているスイッチ４３と、が取付けられている。
【００１８】
この実施形態において、スイッチ４３はタッチセンサーを用いて操作を受付ける方式を採用しており、制御基板４２及びスイッチ４３は、制御基板４２がスイッチ４３の操作状態に応じて照明ユニット３１の照明部３１１が発する光の輝度及び色温度を制御することができるように配置構成されている。
【００１９】
また、天板ブロック２２に、照明手段３の回路基板３１０を介して各照明ユニット３１と電気的に接続している上部端子５２が回路基板３１０に取り付けられており、ベースブロック２１側に取付けられている下部端子５１と、天板ブロック２２に側に取付けられている上部端子５２とに両端がそれぞれ接続されており下部端子５１と上部端子５２を電気的に接続している接続柱５３が、周壁２３の内側でベースブロック２１と天板ブロック２２との間に介在するように延伸配置されている。
【００２０】
下部端子５１と上部端子５２と接続柱５３とにより、、制御基板４２と照明手段３が有する各照明ユニット３１とを電気的に接続する電気接続手段５が構成される。電源手段４１から提供される電力と、制御基板４２から発信される制御信号とは、電気接続手段５を通して、各照明ユニット３１及び各照明ユニット３１を直接に制御する回路基板３１０に転送することができる。
【００２１】
この実施形態において、下部端子５１は、ベースブロック２１側から接続柱５３に向かって伸縮可能に突起する第１の導電ピンであり、上部端子５２は、天板ブロック２２側から接続柱５３に向かって伸縮可能に突起する第２の導電ピンである。下部端子５１及び上部端子５２として伸縮可能に突起する導電ピンを用いることによって、接続柱５３の取付け／取外しの利便性と、下部端子５１及び上部端子５２の接続柱５３との接続の確実さとを両立することができる。
【００２２】
更に、天板ブロック２２は、照明手段収容空間２２２を下側から覆いながら、各照明ユニット３１の照明部３１１と集光部３１２とのみを下方に露出させる上カバー２２３を更に具え、上カバー２２３がベースブロック２１の載置面２１３に面する下面に、円環状の上接続溝２２４が凹設されており、一方、ベースブロック２１の載置面２１３に円環状の下接続溝２１４が凹設されており、周壁２３は、上下両端がそれぞれ天板ブロック２２側の上接続溝２２４と、ベースブロック２１側の下接続溝２１４に嵌め込まれてベースブロック２１と天板ブロック２２との間に取付けられている。また、上カバー２２３及び載置面２１３には接続柱５３の両端部をそれぞれ受け入れる第１の凹部２２５と第２の凹部２１６とがそれぞれ設けられている。
【産業上の利用可能性】
【００２３】
上記構成により、本考案は載置面２１３に向かって発光する照明部３１１及び照明部３１１が発する光を収束させるように反射する集光部３１２とを有する照明ユニットを複数備えた照明手段３を照明手段収容空間２２２内に収容するので、ショーケース２全体の一体感が保たれ、美観性が改良されたショーケースを提供することができる。更に、制御基板４２及びスイッチ４３は、制御基板４２がスイッチ４３の操作状態に応じて照明ユニット３１の照明部３１１が発する光の輝度及び色温度を制御することができるように配置構成されているので、異なる展示品に応じて照明部３１１が発する光の輝度及び色温度を制御調整して適切な照明効果を提供することができる。
【００２４】
また、展示品４を展示することが主な目的であるショーケース２として、展示品４の取替えが頻繁であり、展示品４を取替えるたびに天板ブロック２２や周壁２３、そして接続柱５３を取り外さなくてはならないので、ベースブロック２１側及び天板ブロック２２側が接続柱５３と接続する下部端子５１及び上部端子５２として伸縮可能に突起する導電ピンを用いることによって、接続柱５３の取付け／取外しの利便性と、下部端子５１及び上部端子５２の接続柱５３との接続の確実さとを両立することができる。
【符号の説明】
【００２５】
２    ショーケース
２１    ベースブロック
２１０    下底板
２１１    下フェンス
２１２    下カバー
２１３    載置面
２１４    下接続溝
２１５    制御手段収容空間
２１６    第２の凹部
２２    天板ブロック
２２０    上底板
２２１    上フェンス
２２２    照明手段収容空間
２２３    上カバー
２２４    上接続溝
２２５    第１の凹部
２３    周壁
３    照明手段
３１    照明ユニット
３１０    回路基板
３１１    照明部
３１２    集光部
４    展示品
４１    電源手段
４２    制御基板
４３    スイッチ
５１    下部端子
５２    上部端子
５３    接続柱
【図１】
0003188196.tif 000003
【図２】
0003188196.tif 000004
【図３】
0003188196.tif 000005
【図４】
0003188196.tif 000006
【図５】
0003188196.tif 000007